(57)【要約】  本発明は、発泡性液体を収容するボトル用のコルク抜きであって、外側本体（ａ）と、コルク把持手段（ｃ）を有し、かつ外側本体内に摺動可能に取り付けられている内側本体（ｂ）とを備え、コルク抜きが、ボトルのコルクの安全ハーネスの上に外側本体を配置するための切欠き（ｄ）と、ボトルの首に係合する外側本体のボトル把持手段と、コルクの発射方向における内側本体の摺動移動を制限する手段（ｅ、ｆ）とを備えることを特徴とするコルク抜きに関する。【選択図】図１
2014516885.tif 000002
【特許請求の範囲】
【請求項１】
発泡性液体を収容するボトル用のコルク抜きにおいて、
−外側本体と、
−コルク把持手段を有し、かつ前記外側本体内に摺動可能に取り付けられている内側本体と、
を具備し、
前記コルク抜きが、ボトルのコルクの安全ハーネスの上に前記外側本体を配置するための切欠きと、前記ボトルの首に係合する前記外側本体のボトル把持手段と、前記コルクの発射方向における前記内側本体の摺動移動を制限する手段とを備えることを特徴とするコルク抜き。
【請求項２】
請求項１に記載のコルク抜きにおいて、前記内側本体の摺動移動を制限する前記手段が、前記内側本体の外側に突起を備え、前記突起が、前記外側本体に設けられかつ前記コルクの発射方向において少なくとも部分的に延在するスリット内で摺動し、前記スリットが、前記コルクが完全に発射されるのを防止するように適合された形状およびサイズを有することを特徴とするコルク抜き。
【請求項３】
請求項２に記載のコルク抜きにおいて、前記スリットの少なくとも一部が前記コルクの発射方向において直線状に延在することを特徴とするコルク抜き。
【請求項４】
請求項３に記載のコルク抜きにおいて、前記スリットの少なくとも一部が前記コルクの発射方向においてらせん状に延在することを特徴とするコルク抜き。
【請求項５】
請求項２に記載のコルク抜きにおいて、前記スリットの第１部分が前記コルクの発射方向において直線状に延在しており、前記第１部分の長さが完全に発射されている前記コルクの形状を防止するように十分短く、前記スリットの第２部分が、前記コルクを制御可能に抜くように、前記コルクの発射方向においてらせん状に延在していることを特徴とするコルク抜き。
【請求項６】
請求項２〜５のいずれか一項に記載のコルク抜きにおいて、前記内側本体が、その外側に、前記外側本体に設けられた複数のスリット内を摺動する複数の突起を有することを特徴とするコルク抜き。
【請求項７】
請求項１〜６のいずれか一項に記載のコルク抜きにおいて、前記コルク把持手段が、前記コルク内に貫入するピンを備えることを特徴とするコルク抜き。
【発明の詳細な説明】
【技術分野】
【０００１】
本発明は、発泡性液体を収容するボトル用のコルク抜きに関する。
【背景技術】
【０００２】
発泡性液体を収容しコルクによって閉じられるボトル、たとえばシャンパンボトルは、最高約７バールの高圧下にあることは一般に知られている。したがって、ボトルを開ける際にコルクが制御不能な発射体となることにより、たびたび不慮の事故が発生する。こうした発射されたコルクは、消費者の顔面、特に目に対して非常に危険であり有害である可能性がある。
【０００３】
最新技術では、こうした危険な状況を回避するためにいくつかの試みがなされている。たとえば、国際公開第２００６０９２６６１号パンフレット（Ｍａｕｆｆｅｔｔｅ）は、相対的な回転によりコルク把持手段がコルクに上向きの作用を及ぼす、コルク抜きを記載している。したがって、コルクは、最終的にボトル内部の圧力の作用下でボトルから発射されるまで上方に持ち上げられ、発射されたコルクは、コルク抜き内に設けられた、コルク発射方向の方向において断面積が低減する空間内に捕捉される。
【０００４】
別の例は、ボトル首の膨らみに係合する外側本体とコルクに係合する内側本体とを備えたコルク抜きを記載している、国際公開第２００８０６１５４７号パンフレット（Ｆｅｒｒａｒｉ）である。内側本体は、コルクが発射される時に上方に摺動するように外側本体に摺動可能に取り付けられている。
【０００５】
しかしながら、最後に引用したコルク抜きは製造および使用が極めて複雑であるという事実に加えて、上記すべてのコルク抜きの残された問題は、コルクはコルク抜きによって捕捉されるが、コルク抜きを配置する前に、安全ハーネスを依然としてボトルの首の膨らみから取り除かなければならないということである。したがって、コルク抜きを配置する前にコルクが不用意に発射されるという危険が残っている。
【０００６】
上記問題を解決しようとして、米国特許第４，７５０，３９１号明細書は、コルクおよび安全ハーネスの上にコルク抜きを配置するための枢動可能な環状体を備えたフレームと、コルクを持ち上げるために一対のアームに接続された一対のひもとを有するコルク抜きを記載している。
【０００７】
このタイプのコルク抜きの不都合は、部品を製造し組み立てる際の複雑性である。
【０００８】
別の不都合は、使用者が、ハンドルを係合させるために２本の手を必要とし、それにより、ボトルを置くために安定した水平の滑りにくい面を準備せざるを得ない、ということである。
【０００９】
第２の残された問題は、最新技術のコルク抜きが、開ける過程の最後の段階でコルクに対する持上げ圧力に耐えるように適合されていない、ということである。その結果、消費者は、開ける過程の最後の段階でコルクが急に発射されることを回避することができない。一般に知られているように、たとえばシャンパンの品質は、荒々しいコルク発射によって低下し、それは、その後、ボトル内の圧力が急に降下し、液体内の二酸化炭素濃度が過度に低下するためである。
【００１０】
上記欠点を考慮して、本発明の第１目的は、発射されたコルクを捕捉するように適合されたコルク抜きを提供することである。
【００１１】
本発明の第２目的は、コルク抜きを配置する前にボトルの首の膨らみから安全ハーネスを取り除く必要がないコルク抜きを提供することである。
【００１２】
さらに、本発明の第３目的は、発泡性液体の純粋な品質を維持することができるように、開ける過程の最後の段階であっても、コルクを制御可能に抜くことができるコルク抜きを提供することである。
【００１３】
本発明の別の目的は、製造が複雑でなくかつ使用が複雑でないコルク抜きを提供することである。
【００１４】
本発明は、外側本体と、コルク把持手段を有しかつ外側本体に摺動可能に取り付けられている内側本体とを備えるコルク抜きにおいて、外側本体がボトルのコルクの安全ハーネスの上に外側本体を配置し安全ハーネスのアイ（輪）をゆるめるための切欠きを備えることを特徴とするコルク抜きを提供することにより、上記目的を達成する。
【発明の概要】
【００１５】
本発明は、発泡性液体を収容するボトル用のコルク抜きであって、
−外側本体と、
−コルク把持手段を有し、かつ外側本体内に摺動可能に取り付けられている内側本体と
を備え、
コルク抜きが、ボトルのコルクの安全ハーネスの上に外側本体を配置するための切欠きと、ボトルの首に係合する外側本体のボトル把持手段と、コルクの発射方向における内側本体の摺動移動を制限する手段とを備えることを特徴とするコルク抜きに関する。
【図面の簡単な説明】
【００１６】
【図１】図１は、本発明によるコルク抜きの実施形態を示す。
【図２】図２は、本発明によるコルク抜きの別の実施形態を示す。
【図３】図３は、本発明によるコルク抜きの好ましい実施形態を示す。
【図４】図４は、前記好ましい実施形態の断面図を示す。
【発明を実施するための形態】
【００１７】
本発明の第１実施形態によれば、図１に示すように、発泡性液体を収容するボトル用のコルク抜きであって、
−外側本体（ａ）と、
−コルク把持手段（（ｃ）図示せず）を有しかつ外側本体に摺動可能に取り付けられている内側本体（ｂ）とを備え、
外側本体がボトルのコルクの安全ハーネスの上に外側本体を配置し安全ハーネスのアイをゆるめるための切欠き（ｄ）を備えることを特徴とするコルク抜きが提供される。
【００１８】
こうしたコルク抜きの第１利点は、コルクが、持ち上げられかつ開ける過程の最後に完全に抜かれている間に、同様に上がっている内側本体のコルク把持手段によって保持される、ということである。
【００１９】
第２利点は、外側本体に切欠きを設けることにより、コルク抜きを配置する前にボトルの首の膨らみから安全ハーネスを取り除く必要がなく、それにより、不注意のコルク発射、危険な状況および事故が回避される、ということである。
【００２０】
本発明によれば、コルク抜きは、ボトル把持手段を有する外側本体と、コルクが完全に発射されるのを防止する発射防止手段とを備えることができる。
【００２１】
コルクが完全に発射されるのを防止する発射防止手段を提供する利点は、コルク抜きが、ボトルを開ける過程の最後の段階においてコルクに対する高い持上げ圧力に抵抗することができ、使用者が、発泡性液体の純粋な品質を維持することができるように、開ける過程の最後の段階においてもコルクを制御可能に抜くことができる、ということである。
【００２２】
本発明の実施形態では、発射防止手段は、ボトルの首に係合するボトル把持手段と、コルクの発射方向における内側本体の摺動を制限する手段とを備えることができる。
【００２３】
こうした制限手段を、開ける過程の最後の段階においてボトルの首に係合しているボトル把持手段に対して内側本体の持上げ移動を阻止するように適合され、コルクが実際には持ち上げられるが、急に発射され完全に解放されないようにする、あらゆる手段とすることができる。その後、使用者は、コルクを保持しているコルク抜きを慎重に取り除くことにより、制御可能にコルクを完全に抜くことができる。
【００２４】
本発明による特定の実施形態では、図２に示すように、内側本体の摺動移動を制限する手段は、内側本体の外側の突起（ｆ）を備えることができ、前記突起は、外側本体に設けられコルクの発射方向において少なくとも部分的に延在するスリット（ｅ）内を摺動し、前記スリットは、コルクが完全に発射されるのを防止するように適合された形状およびサイズを有している。
【００２５】
当業者は、突起、したがって内側本体の移動が、好ましくはコルクの小さい方の部分が発射されない限り、コルクの発射方向において阻止されるようにあらゆる適合された形状およびサイズを有することができることを理解するであろう。
【００２６】
前記スリットの少なくとも一部は、コルクの発射方向において直線状に延在することができる。この場合、ボトルを開ける際に外側本体（またはボトル）を回転させた時、内側本体は上方に移動し同様に回転する。
【００２７】
別法として、スリットの少なくとも一部は、コルクの発射方向においてらせん状に延在することができる。この場合、ボトルを開ける際に外側本体（またはボトル）を回転させた時、内側本体は上方に移動するが回転しない。
【００２８】
別の特定の実施形態では、使用者が、内側本体の最上部を持上げ圧力に抗して押圧することにより、コルクおよび内側本体に対する高い持上げ圧力に抵抗することができる（すなわち、使用者は、片手でかつ内側本体の最上部を自身の親指で押すことにより、コルク抜きを保持することができる）ように、内側本体を、外側本体の最上部を貫通して延在させることができる（図１（ｂ）を参照）。その後、使用者は、内側本体に対する下向きの圧力を慎重に解放することによりコルクを完全に制御可能に抜くことができる。
【００２９】
実施形態では、任意選択的に上述した実施形態と組み合わせて、内側本体の上方に摺動する移動を、コルクが完全に発射されないように、外側本体との衝突によって阻止することができる。
【００３０】
本発明による好ましい実施形態では、図３および図４に示すように、スリットの第１部分（ｅ’）がコルクの発射方向において直線状に延在し、前記第１部分の長さが、コルクが完全に発射されるのを防止するのに十分短く、スリットの第２部分（ｅ’’）が、コルクを制御可能に抜くためにコルクの発射方向においてらせん状にさらに延在する、コルク抜きを提供することができる。外側本体を回転させると、突起は、スリット内を上方に摺動し、スリットの端部において阻止される。そして内側本体を回転させると、突起は、さらに上方に移動するようにスリットのらせん状部分において摺動する。
【００３１】
こうした実施形態の利点は、消費者が、以下の手順に従って、コルクおよび安全ハーネスによって閉じられたボトルを安全かつ複雑でない方法で開けることができる、ということである。
−安全ハーネスのアイの上に切欠き（ｃ）を配置して、ボトルの首に横から外側本体（ａ）を配置する。
−安全ハーネスのアイを十分にゆるめる。
−ボトルを保持し外側本体（ａ）を左または右に回転させ（またはコルク抜きを保持してボトルを回転させ）、コルク把持手段およびボトル内の圧力がコルクに対して持上げ作用を与えるようにする。内側本体（ｂ）は、同様に上がり、コルクが完全に発射されないように、スリットの直線状部分（ｅ’）の上端において突起（ｆ）によって阻止される。
−突起がスリットのらせん状部分（ｅ’’）において摺動するように、内側本体（ｂ）を回転させる。それにより、内側本体は制御された方法でさらに持ち上げられ、コルクは最終的に完全に解放される。
【００３２】
内側本体は、その外側に、外側本体に設けられた複数のスリット内を摺動する複数の突起を有することができる。
【００３３】
特定の実施形態では、内側本体のコルク把持手段は、コルク内に貫入するピン（ｇ）または複数のピンを備えることができる。ピンの利点は、それが、安全ハーネスによって妨げられることなくコルク内に容易に貫入することができる、ということである。
【００３４】
当業者は、発射防止手段が同様にスリット−突起システムに基づく、本発明による代替実施形態が可能であることを理解するであろう。
【００３５】
たとえば、突起（複数可）を、（内側本体の外側の代りに）外側本体の内側に設けることができ、スリットを、（外側本体の内側の代りに）内側本体に設けることができ、それにより、内側本体が持ち上げられた時、スリットは突起（複数可）の上を摺動する。内側本体のこうしたスリットを、コルク発射方向において少なくとも部分的に直線状とするか、またはコルク発射方向において少なくとも部分的にらせん状とするか、または両方の組合せとすることができる。
【００３６】
別の例では、内側本体は、全体として、外側本体の適合された内周縁によって形成されたスリット内を摺動することができる。内側本体は、外側本体の対応する非円柱状内周縁内に嵌合しかつ摺動する非円柱状外周縁を有することができる。
【図１】
2014516885.tif 000003
【図２】
2014516885.tif 000004
【図３】
2014516885.tif 000005
【図４】
2014516885.tif 000006
【国際調査報告】
2014516885.tif 000007
2014516885.tif 000008